(57)【要約】【課題】  カード用コネクタ装置の実装時におけるフレームの変形を防止できる変形防止治具およびそれを用いたカード用コネクタ装置の実装方法を提供すること。【解決手段】  前端面および上下両面を開放するカード収納用の凹部２ａが形成されたフレーム２と、フレーム２の左右前端部および後端部に設けられた半田付け端子６ａ，５ｃとを備え、凹部２ａの前後方向に沿う対向面にカードの両側部を挿抜方向に案内するガイド溝２ｃ，２ｃが設けられたカード用コネクタ装置に着脱可能な変形防止治具であり、この変形防止治具は梁状部材１からなり、その装着時に梁状部材１の挿入部１ｂ，１ｂをフレーム２のガイド溝２ｃ，２ｃに挿入することにより、凹部２ａを挟んだフレーム２前端部の左右の側部２ｂ，２ｂ間を橋絡するようにした。【選択図】  図７
2005222300.tif 000002
【特許請求の範囲】
【請求項１】
少なくとも前端面を開放するカード収納部が形成されたフレームを備え、前記カード収納部の前後方向に沿う対向面にカードの両側部を挿抜方向へ案内するガイド部が設けられたカード用コネクタ装置に着脱可能な変形防止治具であって、装着時にその両端部が前記ガイド部と係合することにより、前記ガイド部間を橋絡する部材であることを特徴とする変形防止治具。
【請求項２】
請求項１の記載において、前記ガイド部は直交する２つの面を有し、前記部材の両端部に前記２つの面に係合可能な規制面が形成されていることを特徴とする変形防止治具。
【請求項３】
請求項１または２の記載において、前記ガイド部間への装着完了時に、前記カード収納部から突出する突出部が形成されていることを特徴とする変形防止治具。
【請求項４】
請求項１〜３のいずれか１項の記載において、前記カード収納部の上面の少なくとも一部が開放されると共に、前記フレームに前記カード収納部の上面を覆うカバーが設けられており、前記ガイド部間への装着時に前記突出部が該カバーの前端部に係止されることにより、前記カード収納部内後端側への移動が規制されることを特徴とする変形防止治具。
【請求項５】
請求項１〜４のいずれか１項の記載において、前記フレームに外部接続用の端子が設けられていることを特徴とする変形防止治具。
【請求項６】
少なくとも前端面を開放するカード収納部が形成されたフレームを備え、前記カード収納部の前後方向に沿う対向面にカードの両側部を挿抜方向に案内するガイド部が設けられたカード用コネクタ装置を回路基板上に実装する実装方法であって、
前記カード用コネクタ装置に請求項１〜５のいずれか１項に記載の変形防止治具を装着する工程と、該変形防止治具を装着した状態で前記カード用コネクタ装置の端子を前記回路基板の被取付面に半田付けする工程と、前記端子を前記被取付面に半田付けした後に、前記変形防止治具を前記カード用コネクタ装置から除去する工程とを含むことを特徴とするカード用コネクタ装置の実装方法。
【発明の詳細な説明】
【技術分野】
【０００１】
本発明は、カード用コネクタ装置を回路基板に実装する際に使用される変形防止治具およびその変形防止治具を用いたカード用コネクタ装置の実装方法に関する。
【背景技術】
【０００２】
従来のカード用コネクタ装置の一例として、前端面および上下両面を開放するカード収納用の凹部が形成された合成樹脂製のフレームと、このフレームの左右前端部および後端部に設けられた複数の端子群とを備え、前記凹部の前後方向に沿う対向面にカードの両側部を挿抜方向に案内するガイド溝が設けられたものが知られている（例えば、特許文献１参照。）。
【０００３】
このように構成されたカード用コネクタ装置は、各端子を回路基板のランドにリフロー半田で接続することにより回路基板の被取付面上に実装され、この状態で携帯電話器やデジタルカメラ等の電子機器に組み込まれて使用されるようになっている。使用に際しては、操作者がカードをカード用コネクタ装置に挿入すると、該カードはその両側部がフレームのガイド溝に案内されて後端部へと押し込まれ、カードの先端部がフレームの最後端まで到達した時点で、カードの端子接触部とフレームの後端部に配列された端子群とが接触して外部との電気信号の授受が可能となる。
【特許文献１】特開２００１−１３５３８５号公報（第３−６頁、図１）
【発明の開示】
【発明が解決しようとする課題】
【０００４】
上述した従来のカード用コネクタ装置は、フレームに形成されたカード収納用の凹部が上下壁に覆われずに開放した構成であるため、フレーム厚の増加を抑えて薄型化が図れるメリットを有している。しかしながら、フレームはカード収納用の凹部によって前端部が切り欠かれた平面視コ字状の外観となっているため、カードの薄型化に伴ってフレームの厚みを薄肉化していくと、凹部を挟んだフレームの左右両側部の強度を高めることが困難となる。その結果、カード用コネクタ装置をリフロー半田で回路基板に実装する際に、リフロー炉の熱によってフレームの左右両側部が上下方向に捻れるように変形しまう虞があり、実装後の使用時にカードをフレームのガイド溝に沿ってスムーズに案内することができなくなるという問題があった。特に、リフロー炉の熱によってフレームが大きく変形した場合、それに伴ってフレームの左右前端部に設けられた端子が回路基板から浮き上がってしまうため、カード用コネクタ装置の端子と回路基板のランドとの間の半田付け不良が発生してしまうという問題があった。
【０００５】
本発明は、このような従来技術の実情に鑑みてなされたもので、その目的は、カード用コネクタ装置の実装時におけるフレームの変形を防止できる変形防止治具およびそれを用いたカード用コネクタ装置の実装方法を提供することにある。
【課題を解決するための手段】
【０００６】
上述した目的を達成するため、本発明による変形防止治具は、少なくとも前端面を開放するカード収納部が形成されたフレームを備え、前記カード収納部の前後方向に沿う対向面にカードの両側部を挿抜方向へ案内するガイド部が設けられたカード用コネクタ装置に着脱可能な変形防止治具であって、装着時にその両端部が前記ガイド部と係合することにより、前記ガイド部間を橋絡する部材である構成にした。
【０００７】
このように構成された変形防止治具では、この変形防止治具がカード収納部を挟んだフレーム間を橋絡するように装着されることにより、カード収納部を挟んだフレームの左右両側部の強度が高められる。したがって、このカード用コネクタ装置をリフロー半田で回路基板に実装する際に、リフロー炉の熱によるフレームの左右両側部の変形を防止することができる。
【０００８】
上記の構成において、前記ガイド部が直交する２つの面を有し、前記変形防止治具の両端部にこれら２つの面に係合可能な規制面が形成されていると、フレームの左右両側部の捩れ変形を一層確実に防止することができて好ましい。
【０００９】
また、上記の構成において、前記ガイド部間への装着完了時に、前記変形防止治具に前記カード収納部から突出する突出部が形成されていることが好ましく、このようにすると、作業者が変形防止治具をカード用コネクタ装置に着脱する際に、突出部を介してフレームに簡単に装着したりフレームから簡単に除去することができる。また、前記カード収納部の上面の少なくとも一部が開放されると共に、前記フレームに前記カード収納部の上面を覆うカバーが設けられており、前記ガイド部間への装着時に前記突出部が該カバーの前端部に係止されることにより、前記変形防止治具の前記カード収納部内後端側への移動が規制されることが好ましい。これにより、変形防止治具をフレームに装着する際に、変形防止治具を後方に押し込むだけで係止位置にてそれ以上の押し込みが規制されるので、簡単に変形防止治具の位置決めが行えると共に、変形防止治具を除去する際もフレームへの装着位置が一定しているため、変形防止治具を簡単に除去できて作業性を一層向上できる。
【００１０】
また、上記の構成において、前記フレームに外部接続用の端子が直接あるいは中継部材を介して間接的に設けられていることが好ましく、このようにすると端子の半田付け不良の発生を確実に防止することができる。
【００１１】
また、本発明によるカード用コネクタ装置の実装方法は、少なくとも前端面を開放するカード収納部が形成されたフレームを備え、前記カード収納部の前後方向に沿う対向面にカードの両側部を挿抜方向に案内するガイド部が設けられたカード用コネクタ装置を回路基板上に実装する実装方法であって、前記カード用コネクタ装置に上記の如く構成された変形防止治具を装着する工程と、該変形防止治具を装着した状態で前記カード用コネクタ装置の端子を前記回路基板の被取付面に半田付けする工程と、前記端子を前記被取付面に半田付けした後に、前記変形防止治具を前記カード用コネクタ装置から除去する工程とを含む構成とした。
【００１２】
このように構成されたカード用コネクタ装置の実装方法では、変形防止治具をカード用コネクタ装置に装着することにより、カード収納部を挟んだフレームの左右両側部の強度が高められるので、このカード用コネクタ装置をリフロー半田で回路基板に実装する際に、リフロー炉の熱によるフレームの左右両側部の変形が抑制される。そして、このようにカード用コネクタ装置を回路基板に実装した後に、変形防止治具をカード用コネクタ装置から除去すれば、このカード用コネクタ装置にカードを挿入することが可能となる。
【発明の効果】
【００１３】
本発明による変形防止治具は、カード収納部を挟んだフレーム間を橋絡するように変形防止治具を装着することにより、フレームの左右両側部の強度が高められるので、カード用コネクタ装置をリフロー半田で回路基板に実装する際に、リフロー炉の熱によるフレームの左右両側部の変形を防止することができる。
【００１４】
また、本発明によるカード用コネクタ装置の実装方法は、上記した変形防止治具をカード用コネクタ装置に装着することにより、カード収納部を挟んだフレームの左右両側部の強度が高められるので、このカード用コネクタ装置をリフロー半田で回路基板に実装する際に、リフロー炉の熱によるフレームの左右両側部の変形を防止することができる。そして、このようにカード用コネクタ装置を回路基板に実装した後に、変形防止治具をカード用コネクタ装置から除去すれば、このカード用コネクタ装置にカードを挿入することが可能となる。
【発明を実施するための最良の形態】
【００１５】
発明の実施の形態を図面を参照して説明すると、図１は本発明の実施形態例に係るカード用コネクタ装置と変形防止治具の斜視図、図２は該変形防止治具の平面図、図３は該変形防止治具の正面図、図４は該カード用コネクタ装置に備えられるフレームの平面図、図５は図４のＶ−Ｖ線に沿う断面図、図６は図４のVI−VI線に沿う断面図、図７は変形防止治具の装着途中状態を示すカード用コネクタ装置の平面図、図８は変形防止治具の装着状態を示すカード用コネクタ装置の正面図、図９は変形防止治具の装着状態を示すカード用コネクタ装置の左側面図である。
【００１６】
図１に示すように、本実施形態例に係る変形防止治具は合成樹脂製の梁状部材１からなり、この梁状部材１はカード用コネクタ装置に対して着脱可能となっている。図２と図３に示すように、梁状部材１は平面視で左右方向を長手とする矩形状の外観を呈しており、この梁状部材１の上面中央部における前端側（平面視で下側）には、長手方向に延びる凸状のつまみ部１ａが突設されている。また、梁状部材１の両端部には、段差面を設けて中央部よりも厚さを薄くした挿入部１ｂ，１ｂが形成されている。一方、カード用コネクタ装置は、合成樹脂製のフレーム２と、このフレーム２上に設けられた金属板製のカバー３とを備えており、これらフレーム２とカバー３によってハウジング４が構成されている。
【００１７】
図４と図５に示すように、フレーム２には前端面および上下両面を開放する凹部２ａが形成されており、フレーム２の外観は左右一対の側部２ｂ，２ｂが凹部２ａを挟んで対向する平面視コ字状を呈している。このフレーム２の前端部における左右の側部２ｂ，２ｂの対向面には前後方向に沿う一対のガイド溝２ｃ，２ｃが形成されており、フレーム２の凹部２ａ内には複数の第１端子部材５が配列されている。図６に示すように、これら第１端子部材５は、フレーム２の後端部に固定された固定部５ａと、この固定部５ａの上端から直角に折り曲げられて凹部２ａ内に突出する接続端子５ｂと、固定部５ａの下端部からＬ字状に折り曲げ形成された半田付け端子５ｃとを有している。また、フレーム２の左右の側部における前端部には一対の第２端子部材６が配設されており、これら第２端子部材６はフレーム２の左右の側部２ｂ，２ｂの前端部の外壁部に固定されると共に、下端部からＬ字状に折り曲げ形成された半田付け端子６ａを有している。
【００１８】
カバー３はフレーム２の上部をほぼ被覆する天板部３ａを有しており、天板部３ａの先端部には切欠部３ｂが形成されている。このカバー３はフレーム２の左右の側部２ｂ，２ｂの外壁部にスナップ結合により一体化されており、これらフレーム２とカバー３によってハウジング４が構成されるようになっている。
【００１９】
このように構成されたカード用コネクタ装置は、後述する工程によって回路基板上に実装された後、この回路基板と共に携帯電話器やデジタルカメラ等の電子機器に組み込まれて使用されるようになっている。使用に際して、操作者が情報記憶機能を有するカード（図示せず）をカード用コネクタ装置に挿入し、このカードの両側部を一対のガイド溝２ｃ，２ｃに沿って凹部２ａ内へ押し込んでいくと、カードの先端部がフレーム２内の所定の位置まで到達した時点で、カードの図示しない端子接触部とフレーム２の後端部に配列された第１端子部材５の接続端子５ｂとが接触するので、外部との電気信号の授受が可能となる。また、このようにカードをカード用コネクタ装置に挿入した状態で、カバー３の切欠部３ｂ内に露出するカードの後端部を作業者が引き抜くことにより、カードはハウジング４の前端部に設けられたカード挿入口４ａから排出される。
【００２０】
次に、図７〜図９を参照しながらカード用コネクタ装置を回路基板に実装する工程について説明する。
【００２１】
まず、カード用コネクタ装置を回路基板に実装する前工程として、図７に示すように、変形防止治具である梁状部材１を矢印方向に挿入してカード用コネクタ装置に装着する。すなわち、梁状部材１の挿入部１ｂ，１ｂをフレーム２の一対のガイド溝２ｃ，２ｃに挿入することにより、この梁状部材１はフレーム２の左右の側部２ｂ，２ｂの前端部間に橋絡するように装着される。その際、梁状部材１のつまみ部１ａがカバー３の切欠部３ｂの前端面に当接することで、梁状部材１のそれ以上の挿入が規制されるため、梁状部材１は図７の一点鎖線で示す所定位置に位置決めされる。
【００２２】
このように梁状部材１をフレーム２の左右の側部２ｂ，２ｂの前端部間に装着した後、図８と図９に示すように、カード用コネクタ装置を回路基板７の所定箇所に搭載する。図示省略されているが、この回路基板７の被取付面には第１および第２端子部材５，６の各半田付け端子５ｃ，６ａに対応する複数のランドが形成されており、各半田付け端子５ｃ，６ａはこれらランド上に塗布されたクリーム半田に接触した状態となっている。この状態で回路基板７を図示せぬリフロー炉へ搬入し、このリフロー炉の熱によってクリーム半田を溶融することにより、各半田付け端子５ｃ，６ａが回路基板７の対応するランドに半田付けされるため、カード用コネクタ装置がリフロー半田で回路基板７に実装される。かかるリフロー半田時に梁状部材１がフレーム２の左右の側部２ｂ，２ｂの前端部間に装着されており、平面視コ字状のフレーム２の左右の側部２ｂ，２ｂ間に梁構造が構成されるため、フレーム２の左右の側部２ｂ，２ｂの捩れに対する強度が著しく高まっている。その結果、リフロー炉の熱によるフレーム２の変形、特に左右の側部２ｂ，２ｂが上下方向に捻れるという変形が抑制されるため、各半田付け端子５ｃ，６ａを回路基板７の対応するランドに確実に半田付けすることができ、カード用コネクタ装置の半田付け不良の発生をに防止できる。そして、このようにカード用コネクタ装置をリフロー半田で回路基板７に実装した後、カード用コネクタ装置から梁状部材１を除去すれば、このカード用コネクタ装置にカードを挿入できる状態となる。
【００２３】
以上説明したように、本実施形態例にあっては、梁状部材１からなる変形防止治具をカード用コネクタ装置に装着することにより、カード収納用の凹部２ａを挟んだフレーム２の左右の側部２ｂ，２ｂの強度が高められるので、このカード用コネクタ装置をリフロー半田で回路基板７に実装する際に、リフロー炉の熱によるフレーム２の左右の側部２ｂ，２ｂの変形が抑制され、カード用コネクタ装置の半田付け不良の発生を確実に防止することができる。また、梁状部材１の上面に凸状のつまみ部１ａを設けたので、作業者がカード用コネクタ装置の上方からつまみ部１ａを介して梁状部材１をフレーム２に装着したり、フレーム２から除去することができ、梁状部材１をカード用コネクタ装置に着脱する作業性が向上する。さらに、カード用コネクタ装置がフレーム２の上部を覆うカバー３を備えており、つまみ部１ａがこのカバー３の前端面に係止されることで梁状部材１の後方への移動が規制されるので、梁状部材１をフレーム２に装着する際に、梁状部材１を所定位置に簡単に位置決めできると共に、梁状部材１をフレーム２から除去する際も、梁状部材１を簡単に除去できて作業性が向上する。
【図面の簡単な説明】
【００２４】
【図１】本発明の実施形態例に係るカード用コネクタ装置と変形防止治具の斜視図である。
【図２】該変形防止治具の平面図である。
【図３】該変形防止治具の正面図である。
【図４】該カード用コネクタ装置に備えられるフレームの平面図である。
【図５】図４のＶ−Ｖ線に沿う断面図である。
【図６】図４のVI−VI線に沿う断面図である。
【図７】変形防止治具の装着途中状態を示すカード用コネクタ装置の平面図である。
【図８】変形防止治具の装着状態を示すカード用コネクタ装置の正面図である。
【図９】変形防止治具の装着状態を示すカード用コネクタ装置の左側面図である。
【符号の説明】
【００２５】
１  梁状部材
１ａ  つまみ部（突出部）
１ｂ  挿入部
２  フレーム
２ａ  凹部（カード収納部）
２ｂ  側部
２ｃ  ガイド溝（ガイド部）
３  カバー
３ａ  天板部
３ｂ  切欠部
４  ハウジング
５  第１端子部材
６  第２端子部材
５ｃ，６ａ  半田付け端子
７  回路基板
【図１】
2005222300.tif 000003
【図２】
2005222300.tif 000004
【図３】
2005222300.tif 000005
【図４】
2005222300.tif 000006
【図５】
2005222300.tif 000007
【図６】
2005222300.tif 000008
【図７】
2005222300.tif 000009
【図８】
2005222300.tif 000010
【図９】
2005222300.tif 000011